(57)【要約】      （修正有）【課題】玄関備品を取付けるエントランスパネルをベースプレートに対して後付エントランスユニットの取付け装置を提供する。【解決手段】ドア枠１の戸先側縦枠５を基準として袖壁の前面に固定配置するエントランスユニットが、両側の側縁に設けた折り曲げ板１３と１４にパネル取付け具２８と２９が取付けられ、一方の折り曲げ板１４を戸先側縦枠５の前面に重ねて固定した状態で前記袖壁の前面に固定配置するベースプレート９と、このベースプレート９と別体でベースプレート９に後付け固定するエントランスパネル１０からなり、前記エントランスパネル１０が前面板２５の両側縁に後方へ折れ曲がる側面板２７を設けて形成され、ドア枠１の施工段階で袖壁にベースプレート９を固定し、その後にエントランスパネル１０を戸先側縦枠５とベースプレート９の両者に被せた状態で後付け固定する。【選択図】図３
2008196115.tif 000002
【特許請求の範囲】
【請求項１】
ドア枠の戸先側に位置する袖壁の前面に固定配置するエントランスユニットを、前記袖壁の前面に固定配置するベースプレートと、このベースプレートに被せて取付けるエントランスパネルで形成し、前記ベースプレートの両側折り曲げ板に取付けたパネル取付け具で、前記エントランスパネルをベースプレートに被せた状態で後付け固定するようにしたエントランスユニットの取付け装置。
【請求項２】
ドア枠の戸先側縦枠を基準として袖壁の前面に固定配置するエントランスユニットを、一方の側縁に設けた折り曲げ板を戸先側縦枠の前面に重ねて固定した状態で前記袖壁の前面に固定配置するベースプレートと、このベースプレートに後付けするエントランスパネルで形成し、前記ベースプレートの両側折り曲げ板に取付けたパネル取付け具で、前記エントランスパネルをベースプレートに、戸先側縦枠とこのベースプレートの両者に被せた状態で後付け固定するようにしたエントランスユニットの取付け装置。
【請求項３】
上記ベースプレートの両側縁に設けた折り曲げ板の上下複数箇所の位置にパネル取付け具を取付け、上記エントランスパネルは前面板の両側に設けた側面板がベースプレートに被さる断面形状に形成され、このエントランスパネルの一方側面板を一方パネル取付け具に係止した状態で、この係止部分を支点にしてエントランスパネルをベースプレートに被せ、エントランスパネルの他方側面板を他方パネル取付け具に係止することによって、エントランスパネルをベースプレートに固定するようにした請求項１又は２に記載のエントランスユニットの取付け装置。
【請求項４】
上記ベースプレートに固定したエントランスパネルの一方側と袖壁の間に、弾性スペーサを組み込むようにした請求項１乃至３の何れかに記載のエントランスユニットの取付け装置。
【請求項５】
上記ベースプレートとこれに固定したエントランスパネルの対向面間に弾性緩衝材を圧縮状態で組み込んだ請求項１乃至４の何れかに記載のエントランスユニットの取付け装置。
【発明の詳細な説明】
【技術分野】
【０００１】
この発明は、玄関備品を装着するエントランスユニットを、玄関ドアの戸先側の側方に固定配置するために用いるエントランスユニットの取付け装置に関する。
【背景技術】
【０００２】
一般に、マンション等の中、高層建築物の各戸における玄関ドアの戸先側の側方に、照明灯、室名札、インターホン、新聞受け等の各種の玄関備品を取付けるエントランスユニットを固定配置することが行われている。
【０００３】
エントランスユニットは、上下に長い金属帯板を用いたエントランスパネルと、このエントランスパネルの背面側に重ねて溶接により固定した上下に長い取付けプレートの組み合わせによって形成され、前記エントランスパネルの前面に、照明灯、室名札、インターホン、新聞受け等の各種の玄関備品を取付けるようになっている。
【０００４】
従来、このようなエントランスユニットは、ドア枠の戸先側縦枠を基準として玄関ドアの戸先側の側方に設けられた袖壁に固定配置するため、エントランスパネルの一方側縁に、ドア枠の戸先側縦枠に設けた突条に嵌め込む縦溝を、このエントランスパネルと取付けプレートを折り曲げ加工することによって形成し、前記エントランスパネルの上下端部に横長の抜き孔と、取付けプレートの前記抜き孔と対応する位置に固定用ねじの挿通孔が設けられている。
【０００５】
上記エントランスユニットを玄関ドアの戸先側の袖壁に固定配置するには、エントランスユニットの一方側縁に設けた縦溝をドア枠の戸先側縦枠に設けた突条に嵌め込み、取付けプレートを袖壁に重ねた状態で、袖壁の固定用ねじの挿通孔と対応する位置にケガキを施し、エントランスユニットを一旦取外してケガキ位置にアンカーを埋設した後、エントランスユニットを再度取付け、エントランスパネルの抜き孔から挿通孔に通した固定用ねじを前記アンカーにねじ込んで締め付けることにより、ドア枠の戸先側縦枠から袖壁の前面にエントランスユニットを固定し、この後、エントランスパネルの抜き孔を嵌合させたプレートで閉塞するようにしている（例えば特許文献１参照）。
【特許文献１】特開２００５−２８２１４７号公報
【発明の開示】
【発明が解決しようとする課題】
【０００６】
ところで、上記のようなエントランスユニットは、ドア枠の施工段階で袖壁に固定配置するものであるが、エントランスパネルと取付けプレートを溶接により固定一体化した構造になっているので、ドア枠の施工段階でエントランスユニットを袖壁に固定配置する必要があり、このようにエントランスパネルが作業現場に位置していると、意匠部品であるエントランスパネルの取付け後に現場で傷が付けられる危険性が多く、傷が付いた場合その補修に手間と時間がかかるという問題が発生すると共に、アンカーを用いた固定は作業が煩雑になり、更に、エントランスパネルの抜き孔をプレートで閉塞する構造は、どうしてもプレートで閉塞した部分が目につき、エントランスパネルの意匠性を低下させるという点で改善の余地が見出された。
【０００７】
また、エントランスパネルは、一般に材料コストや重量を勘案して薄い金属板を用いて形成されているが、その強度の面で変形発生の危惧があり、このため、エントランスパネルを補強すると共に触れたときに反響音が発生するのを防ぐ目的で、従来は、エントランスパネルと取付けプレートの対向面間に収まるよう、エントランスパネルの背面で上下複数箇所に金属板製の補強部材を溶接しているが、このような構造では部品点数が多くなり、部品加工の工程が必要となり組立工数も増えることになるのでコストアップにつながると共に、エントランスパネルの表面に溶接痕が発生し、品質の低下をきたすことになる。
【０００８】
更に、エントランスユニットの取付けにおいて、エントランスユニットの一方側の側縁と袖壁の壁面とは、隙間のないように仕上げる必要があるが、戸先側縦枠とその横の袖壁のレベルは同じ建物でも各戸毎に一定の寸法になっていなかったり誤差があるので、従来は現場毎にその納まりを確認してから、エントランスユニットの形状を設定するようにしているため、エントランスユニットの選択に手間と時間がかかることになる。
【０００９】
そこでこの発明の課題は、エントランスユニットをエントランスパネルとベースプレートに分離し、玄関備品を取付けるエントランスパネルをベースプレートに対して後付できるようにすることで、エントランスパネルに現場で傷が付けられることのないようにすることができ、しかも、構成部品数と部品加工工程や補修作業の削減及び溶接による組み立てを省くことで品質と意匠性の向上が図れ、現場での取付け作業が能率的に行えるエントランスユニットの取付け装置を提供することにある。
【課題を解決するための手段】
【００１０】
上記のような課題を解決するために、請求項１の発明は、ドア枠の戸先側に位置する袖壁の前面に固定配置するエントランスユニットを、前記袖壁の前面に固定配置するベースプレートと、このベースプレートに被せて取付けるエントランスパネルで形成し、前記ベースプレートの両側折り曲げ板に取付けたパネル取付け具で、前記エントランスパネルをベースプレートに被せた状態で後付け固定するようにした構成を採用したのである。
【００１１】
請求項２の発明は、ドア枠の戸先側縦枠を基準として袖壁の前面に固定配置するエントランスユニットを、一方の側縁に設けた折り曲げ板を戸先側縦枠の前面に重ねて固定した状態で前記袖壁の前面に固定配置するベースプレートと、このベースプレートに後付けするエントランスパネルで形成し、前記ベースプレートの両側折り曲げ板に取付けたパネル取付け具で、前記エントランスパネルをベースプレートに、戸先側縦枠とこのベースプレートの両者に被せた状態で後付け固定するようにした構成を採用したのである。
【００１２】
上記ベースプレートの両側縁に設けた折り曲げ板の上下複数箇所の位置にパネル取付け具を取付け、上記エントランスパネルは前面板の両側に設けた側面板がベースプレートに被さる断面形状に形成され、このエントランスパネルの一方側面板を一方パネル取付け具に係止した状態で、この係止部分を支点にしてエントランスパネルをベースプレートに被せ、エントランスパネルの他方側面板を他方パネル取付け具に係止することによって、エントランスパネルをベースプレートに固定するようにした構造とすることができる。
【００１３】
また、上記ベースプレートに固定したエントランパネルの一方側と袖壁の間に、弾性スペーサを組み込むようにしたり、上記ベースプレートとこれに固定したエントランスパネルの対向面間に弾性緩衝材を圧縮状態で組み込むことができる。
【００１４】
ここで、上記ベースプレートは、後板と両側の側板で横断面形状が横長のコ字状となるように折り曲げ加工され、両側の側板の前縁に相反する外方へ直角に折れ曲がる折り曲げ板を連成して形成され、戸先側縦枠の突条を基準として固定するタイプでは、ドア枠における戸先側縦枠の突条の前面に重ねる折り曲げ板に、突条へ固定するねじの挿通孔が設けられている。
【００１５】
このベースプレートの後板には、上下複数箇所の位置に、袖壁への当接によって袖壁とベースプレートの間隔を調整する調整ねじのねじ孔と、袖壁へのねじ込みによってベースプレートを袖壁に固定する固定ねじの挿通孔が設けられ、更に、上部位置に照明灯のソケット取付け孔が設けられ、上部寄りの中間位置にインターホンが取付けられている。
【００１６】
上記エントランスパネルは、ベースプレートと同様の上下に長い帯状金属板を用い、前面板がベースプレートの両側に設けた前板の外幅間の最大幅に対応する幅を有し、その両側縁に後方へ折れ曲がる側面板が設けられ、ベースプレートに対してその前面側から被せて取付けることができるような断面形状になっていると共に、前面板の途中にインターホン収納孔が設けられ、上部に照明灯カバーや室名札、下部に新聞受け等を取付けるようになっている。
【００１７】
また、ベースプレートの一方折り曲げ板に取付けるパネル取付け具は、合成樹脂を用いて扁平な箱状にした取付け具本体の上下に折り曲げ板へ差し込むスリットと、側面に突条を設け、取付け具本体の内部に設けた弾性片の突起を折り曲げ板に設けた孔に嵌合させることにより取付けるようになっている。
【００１８】
ベースプレートの他方折り曲げ板に取付けるパネル取付け具は、合成樹脂を用いて上下縁に折り曲げ片を設けて弾性を持たせた取付け具本体の前縁部に、折り曲げ板を前後から挟む挟持板を直角に折り曲げ連成し、前記取付け具本体の外面に突起を設けた構造を有し、挟持板で折り曲げ板を挟むことにより取付けが行え、エントランスパネルの一方側面板を一方パネル取付け具に係止した状態で、この係止部分を支点にしてエントランスパネルをベースプレートに被せ、エントランスパネルの他方側面板に設けた孔を他方パネル取付け具の突起に係止することによって、エントランスパネルをベースプレートに固定することができ、この突起を治具で押し込んで孔との係合を解けば、エントランスパネルをベースプレートから取外すことができる。
【発明の効果】
【００１９】
この発明によると、エントランスユニットをエントランスパネルとベースプレートに分離し、袖壁に固定したベースプレートに対してエントランスパネルを後付によって取付けるようにしたので、ドア枠の施工段階で袖壁にベースプレートだけを固定しておけばよく、エントランスパネルの取付け時期を任意に設定することが可能になり、ドア枠の施工後にエントランスパネルを取付けるようにすれば、エントランスパネルに現場で傷が付けられるようなことがなくなり、補修の手間や時間が省けるようになり、仕上がりの良好なエントランスユニットの取付け状態が得られる。
【００２０】
また、エントランスパネルとベースプレートの対向面間に弾性緩衝材を組み込んだので、弾性緩衝材がエントランスパネルの裏面に密着することでこのパネルの強度を向上させると同時に、エントランスパネルに触れた時に反響する音を低減させ、比較的薄い金属板を用いても、エントランスパネルの重厚感を向上させることができ、製品の品質向上が図れると共に、弾性緩衝材の採用で部品点数と部品加工工程及び組み立て工数の削減が可能になり、エントランスユニットのコスト低減を図ることができるだけでなく、エントランスパネルに対する溶接部分の発生をなくし、エントランスパネルの意匠性を向上させることができる。
【００２１】
更に、エントランスユニットの一方側の側縁に弾性スペーサを取付けることにより、エントランスユニットの一方側の側縁と袖壁の壁面との間を隙間のないように仕上げることができ、戸先側の扉枠とその横の袖壁のレベルが異なっていたり誤差がある場合でも、弾性スペーサの伸縮によってこれを吸収することができ、単一構造のエントランスユニットで扉枠と袖壁の関係の広範な条件に対応することができ、かつ、シーリング加工を行う場合の作業が容易になる。
【００２２】
また、ベースプレートをドア枠における戸先側の袖壁にビスで固定し、エントランスパネルはこのベースプレートに前から嵌め込んで取付けるので、現場での取付け作業が簡単に行え、しかも、エントランスパネルに固定のための抜き孔を設ける必要がなく、エントランスパネルの意匠性を向上させることができる。
【発明を実施するための最良の形態】
【００２３】
以下、この発明の実施の形態を添付図面に基づいて説明する。
【００２４】
図１のように、玄関ドアは、角形ドア枠１の内側の出入口２が複数の蝶番３によって一側部が支持されたドア４によって開閉され、このドア枠１の前記ドア４の戸先と対向する戸先側縦枠５には、図２や図３のように、その戸先側縦枠５の上下端にわたる長さの突条６が一体に設けられ、この突条６は、戸先側縦枠５の一側方に形成された袖壁７の表面より屋外側に突出している。
【００２５】
この発明のエントランスユニット８は、玄関ドアの戸先側の側方に対して、上記角形ドア枠１における戸先側縦枠５の突条６を基準としてこの突条６と袖壁７の前面を覆うように固定するタイプと、上記角形ドア枠１と独立して袖壁７に固定するタイプの二通りがある。
【００２６】
図１乃至図３のエントランスユニット８は、戸先側縦枠５の突条６を基準として袖壁７の前面に固定するタイプの実施の形態を示し、このエントランスユニット８は、戸先側縦枠５の突条６を基準として袖壁７の前面に固定するベースプレート９と、前面に玄関備品を取付けると共に前記ベースプレート９に被せて取付けるエントランスパネル１０で形成され、エントランスパネル１０とベースプレート９は別部材として分割し、前記突条６と袖壁７に固定したベースプレート９に対してエントランスパネル１０を後付によって取付けるようになっている。
【００２７】
上記ベースプレート９は、図２と図３のように、上下に長い帯状金属板を用い、後板１１と両側の側板１２で横断面形状が室外側に向けて開放する横長のコ字状となるように折り曲げ形成され、両側の側板１２の前縁に相反する外方へ直角に折れ曲がる折り曲げ板１３と１４が連成され、片方の折り曲げ板１４の上下複数箇所に、この折り曲げ板１４を戸先側縦枠５の突条６の前面に重ねた状態で、折り曲げ板１４を突条６に固定するねじ１５の挿通孔１６が設けられている。
【００２８】
このベースプレート９の後板１１には、上下複数箇所の位置に、袖壁７への当接によって袖壁７とベースプレート９の間隔を調整する調整ねじ１７の取付け孔１８と、袖壁７へのねじ込みによってベースプレート９を袖壁７に固定する固定ねじ１９の挿通孔２０が設けられ、更に、上部位置に照明灯２１のソケット取付け孔２２と、上部寄りの中間位置にインターホン２３がインターホン取付け板２４を用いてねじ止めにより取付けられている。
【００２９】
上記エントランスパネル１０は、ベースプレート９と同様の上下に長い帯状金属板を用い、前面板２５がベースプレート９の両側に設けた折り曲げ板１３と１４の外幅間の最大幅に対応する幅を有し、その両側縁に後方へ折れ曲がる側面板２６と２７が設けられ、ベースプレート９に対してその前面側から被せて取付けることができるような断面形状になっている。
【００３０】
このエントランスパネル１０は、図示の場合、前面板２５をフラットな平板にしたが、前面板２５の横断面形状を室外側へ突出する弧状にしたり縦縞の凹凸面にしてもよい。
【００３１】
このエントランスパネル１０を戸先側縦枠５の突条６から袖壁７に固定したベースプレート９に被せて取付けると、袖壁７に対するエントランスユニット８の固定が戸先側縦枠５の突条６を基準とした配置になる。
【００３２】
上記ベースプレート９に後付けするエントランスパネル１０をベースプレート９に固定する方法は、ベースプレート９とエントランスパネル１０の重なり部分を複数のねじで締結するねじ止め方法でもよいが、作業性の面から嵌め込み方式を採用するのが好ましい。
【００３３】
上記した嵌め込み方式を採用するため、ベースプレート９の両側折り曲げ板１３と１４には、上下複数箇所で両側の等しい高さ位置に、それぞれパネル取付け具２８と２９が取付けられている。
【００３４】
図４は、ベースプレート９の一方折り曲げ板１３に対して固定するパネル取付け具２８を示し、合成樹脂を用いて上下に長い扁平な箱状にした取付け具本体３０の上下に折り曲げ板１３へ差し込むスリット３１、３１と、側面に突条３２を形成し、取付け具本体３０の内部に設けた弾性片３３に突起３４を突設した構造を有し、図２のように、スリット３１を折り曲げ板１３に挿入し、弾性片３３の突起３４を折り曲げ板１３に設けた孔３５へ弾力的に嵌合させれば、折り曲げ板１３に対する固定化ができるようになっている。
【００３５】
また、図５（ａ）と（ｂ）は、ベースプレート９の戸先側縦枠５の突条６に重ねる他方側の折り曲げ板１４に対して固定するパネル取付け具２９を示し、合成樹脂を用いて上下に長い板状となる取付け具本体３６の上下縁に折り曲げ片３６ａと３６ｂを設け、この取付け具本体３６の前縁部に、折り曲げ板１４の前面に重ねる上下一対の前部挟持板３７、３７と、折り曲げ板１４の後面に重ねる後部挟持板３８を直角に折り曲げ連成し、後部挟持板３８に折り曲げ板１４を突条６に固定するねじ１５を挿通する皿孔３９を設け、前記取付け具本体３６の外面に突起４０を設けた構造を有している。
【００３６】
このパネル取付け具２９は、前部挟持板３７、３７と後部挟持板３８で折り曲げ板１４を挟むことにより取付けが行え、ベースプレート９を突条６から袖壁７に固定したとき、図２のように、取付け具本体３６は突条６のドア４側の側面に位置することになり、皿孔３９からねじ込んだねじ１５によってベースプレート９と共に戸先側縦枠５の突条６に固定され、この固定状態で取付け具本体３６の上下縁の折り曲げ片３６ａと３６ｂが突条６の側面に当接することで、突条６と離れている取付け具本体３６は弾性を持ち、図５（ｂ）の矢印のように突起４０を突条６に向けて押し込むと撓むことになる。
【００３７】
図２のように、エントランスパネル１０は、一方側面板２６に内側への折り返し片４１が設けられ、他方側面板２７に、パネル取付け具２９の突起４０に対して嵌合する小孔４２が設けられ、戸先側縦枠５の突条６から袖壁７にベースプレート９を固定した状態で、このベースプレート９の前にエントランスパネル１０を臨ませ、一方の側面板２６に設けた折り返し片４１の内側先端をパネル取付け具２８の突条３２に係止させ、この係止部分を支点にしてエントランスパネル１０を回動させながらベースプレート９に被せて押し込み、他方側の側面板２７に設けた小孔４２をパネル取付け具２９の突起４０へ弾力的に嵌合係止させれば、嵌め込み方式によってエントランスパネル１０をベースプレート９に対して後付け固定することができる。
【００３８】
また、パネル取付け具２９の取付け具本体３６は板状で弾性を持っているので、エントランスパネル１０をベースプレート９に固定した状態で、取付け具本体３６の突起４０を図５（ｂ）のように、適宜治具で押し込んで孔４２との係合を解けば、エントランスパネル１０をベースプレート９から取外すことができ、エントランスパネル１０のメンテナンスや取換えが可能になる。
【００３９】
図２のように、エントランスユニット８は、ベースプレート９とこれに固定したエントランスパネル１０の対向面間に生じる空間を埋めるため、スポンジ等の弾性緩衝材４３を用いている。この弾性緩衝材４３は、例えばエントランスパネル１０又はベースプレート９の何れか一方に、玄関備品の取付けに邪魔とならない位置に貼り付けておき、固定化したエントランスパネル１０とベースプレート９の間で圧縮状態とすることにより、この弾性緩衝材４３がエントランスパネル１０の裏面に密着することでこのエントランスパネル１０の強度を向上させるので、例えば、エントランスパネル１０の形成に比較的板厚の薄い０．６〜１ｍｍ程度の鋼板を用いることができる。
【００４０】
また、エントランスパネル１０の裏面に密着する弾性緩衝材４３で、エントランスパネル１０に物が触れた時に反響する音を低減させることができ、エントランスパネル１０に板厚の薄い鋼板を用いても、エントランスパネル１０の重厚感を向上させることができ、製品の品質向上が図れると共に、弾性緩衝材４３の採用で部品点数、部品加工と組み立て工数の削減が可能になり、エントランスユニット８のコスト低減を図ることができる。
【００４１】
上記ベースプレート９に固定したエントランスパネル１０の一方側面板２６と袖壁７の間に生じる隙間は、角棒状としたスポンジ等の弾性スペーサ４４を使うことで密閉することができる。このような、弾性スペーサ４４を使うことで、エントランスユニット８の形状を納まりによって変える必要がなくなり、袖壁７の仕上げ面が平らでない場合や、戸先側縦枠５とその横の袖壁７のレベルが異なっていたり誤差がある場合でも、弾性スペーサ４４の伸縮によってこれを吸収することができ、これによって、単一構造のエントランスユニット８でドア枠１と袖壁７の関係の広範な条件に対応することができ、しかも、弾性スペーサ４４が袖壁７に密着することで隙間がなく、エントランスユニット８と袖壁７間にシーリング加工を行う場合の作業が容易になる。
【００４２】
ここで、エントランスパネル１０には、図３に示すように、上部から順に透光性を有する照明灯２１のカバー２１ａ、室番札４５および名札４６および新聞受け４７が取付けられ、上部途中の位置にインターホン２３の前面に位置する構成部材が収まる孔４８が設けられている。
【００４３】
上記室番札４５および名札４６の支持に際し、ここでは、図３に示すように、エントランスパネル１０に札嵌合孔４９を設け、上記エントランスパネル１０の背面には上記各札嵌合孔４９と対向する位置に札支持枠５０を取付け、その札支持枠５０に取付けられた永久磁石によって各札嵌合孔４９に嵌合された室番札４５および名札４６を吸着するようにしていると共に、新聞受け４７は、エントランスパネル１０の裏面側からビスで固定するようにしている。
【００４４】
なお、図示省略したが、ドア枠１に対して独立して配置するタイプのエントランスユニットは、上述した戸先側縦枠５の突条６を基準として袖壁７の前面に固定するタイプと基本的な構造は同じであるが、ベースプレート９の折り曲げ板１４に対してパネル取付け具２９を単独でビス止めするようにし、また、ベースプレート９を袖壁に固定する固定ねじ１９の数を両側に増やすようにすれば、ドア枠１に関係なく袖壁７の前面に固定することができる。
【００４５】
この発明の実施の形態で示した戸先側縦枠５の突条６を基準とするエントランスユニットの取付け装置は上記のような構造からなり、マンション等の中、高層建築物の各戸における玄関ドアの一側方にエントランスユニット８を固定配置するには、先ず、ドア枠１の施工段階で戸先側の戸先側縦枠５から袖壁７にベースプレート９だけを先に固定する。
【００４６】
このベースプレート９は、両側の折り曲げ板１３と１４にそれぞれパネル取付け具２８と２９を取付けておき、ベースプレート９の戸先側縦枠５から袖壁７に対する固定は、片方の折り曲げ板１４を戸先側縦枠５の突条６の前面に重ねた位置決め状態で、パネル取付け具２９の皿孔３９とこの折り曲げ板１４に設けた各挿通孔１６から突条６にねじ１５をねじ込んだ後に、調整ねじ１７をねじ込み、その後で袖壁７に固定ねじ１９をねじ込むことで、突条６から袖壁７の前面にベースプレート９を固定する。
【００４７】
上記のように、ベースプレート９だけを先に突条６から袖壁７の前面に固定した状態でドア枠の施工を行い、この施工後にベースプレート９へエントランスパネル１０を被せて取付け、エントランスユニット８の組み立てを行う。
【００４８】
図２のように、突条６から袖壁７にベースプレート９を固定した状態で、このベースプレート９の前にエントランスパネル１０を臨ませ、一方側の側面板２６に設けた折り返し片４１の内側先端をパネル取付け具２８の突条３２に係止し、この係止部分を支点にしてエントランスパネル１０を回動させながらベースプレート９に被せるようにして押し込み、他方側の側面板２７に設けた小孔４２をパネル取付け具２９の突起４０に対して弾力的に嵌合させれば、嵌め込み方式によってエントランスパネル１０をベースプレート９に固定することができ、ベースプレート９は戸先側縦枠５の突条６によって位置決めされた状態で固定されるため、これに被せて取付けたエントランスパネル１０も、戸先側縦枠５と平行する極めて高い取付け精度を得ることができると共に、エントランスパネル１０は戸先側縦枠５に一体化された感じを与えることができるため、体裁の良好な取付け状態を得ることができる。
【００４９】
上記エントランスパネル１０には、予め必要な玄関備品を取付けておき、ベースプレート９に嵌め込み固定できるので、エントランスパネル１０をきわめて短時間に能率よく取付けることができる。
【００５０】
また、ベースプレート９にエントランスパネル１０を固定したとき、両者の対向面間に組み込んだ弾性緩衝材４３を圧縮状態とし、弾性緩衝材４３をエントランスパネル１０の裏面に密着させることにより、弾性緩衝材４３がエントランスパネル１０に触れた時に反響する音を低減させると共に、エントランスパネル１０の強度と重厚感を向上させることができる。
【００５１】
上記ベースプレート９に固定したエントランスパネル１０は、一方側面板２６と袖壁７の間に隙間が生じることになるが、この隙間は、図２のように、角棒状としたスポンジ等の弾性スペーサ４４を使うことで密閉するようにし、弾性スペーサ４４の伸縮によって、エントランスユニット８の形状を納まりによって変える必要がなくなり、袖壁７の仕上げ面が平らでない場合や、戸先側縦枠５とその横の袖壁７のレベルが異なっていたり誤差がある場合でもこれを吸収することができ、単一構造のエントランスユニット８でドア枠１と袖壁７の関係の広範な条件に対応することができ、更に、弾性スペーサ４４が袖壁７に密着することで隙間がなく、エントランスユニット８と袖壁７間にシーリング加工を行う場合の作業が容易になる。
【００５２】
また、エントランスユニット８の取付け後において、エントランスパネル１０のメンテナンスや取換えが必要な場合は、パネル取付け具２９の突起４０を治具で押し込んで孔４２との係合を解き、エントランスパネル１０をベースプレート９から取外すようにすればよい。
【図面の簡単な説明】
【００５３】
【図１】この発明に係るエントランスユニットの取付け装置を用い、ドアの一方側部にエントランスユニットを固定配置した状態を示す正面図
【図２】図１の矢印ａ−ａに沿って拡大した横断平面図
【図３】この発明に係るエントランスユニットの取付け装置を示す分解斜視図
【図４】この発明に係るエントランスユニットの取付け装置に用いるパネル取付け具の斜視図
【図５】（ａ）はこの発明に係るエントランスユニットの取付け装置に用いる別のパネル取付け具の斜視図、（ｂ）はこのパネル取付け具の取付け具本体を突起の部分で縦断した断面図
【符号の説明】
【００５４】
１        角形ドア枠
２        出入口
３        蝶番
４        ドア
５        戸先側縦枠
６        突条
７        袖壁
８        エントランスユニット
９        ベースプレート
１０      エントランスパネル
１１      後板
１２      側板
１３      折り曲げ板
１４      折り曲げ板
１５      ねじ
１６      挿通孔
１７      調整ねじ
１８      取付け孔
１９      固定ねじ
２０      挿通孔
２１      照明灯
２２      ソケット取付け孔
２３      インターホン
２４      インターホン取付け板
２５      前面板
２６      側面板
２７      側面板
２８      パネル取付け具
２９      パネル取付け具
３０      取付け具本体
３１      スリット
３２      突条
３３      弾性片
３４      突起
３５      孔
３６      取付け具本体
３７      前部挟持板
３８      後部挟持板
３９      皿孔
４０      突起
４１      折り返し片
４２      孔
４３      弾性緩衝材
４４      弾性スペーサ
４５      室番札
４６      名札
４７      新聞受け
４８      孔
４９      札嵌合孔
５０      札支持枠
【図１】
2008196115.tif 000003
【図２】
2008196115.tif 000004
【図３】
2008196115.tif 000005
【図４】
2008196115.tif 000006
【図５】
2008196115.tif 000007